(57)【要約】【課題】支持脚の取り付け態様を変更でき、しかも、暖房器具として使用する場合の使い勝手が良好な家具調コタツを提供する。【解決手段】天井プレート５の隅部それぞれに、基礎ボルト孔１５、一辺縁側ボルト孔１７、他辺縁側ボルト孔１９及び中央ボルト孔２１を形成する。一辺縁側ボルト孔１７と基礎ボルト孔１５との間隔、他辺縁側ボルト孔１９と基礎ボルト孔１５との間隔及び中央ボルト孔２１と基礎ボルト孔１５との間隔をいずれも、支持脚３の上端面１１の２つのボルト孔１３の間隔と等しくしておく。基礎ボルト孔１５と、一辺縁側ボルト孔１７、他辺縁側ボルト孔１９及び中央ボルト孔２１のいずれか１つとに固定ボルト２７を通し、この固定ボルト２７を支持脚３の上端面１１のボルト孔１３にねじ込む。【選択図】図３
2012242055.tif 000002
【特許請求の範囲】
【請求項１】
中央下面にヒーターが設けられた長方形状又は正方形状の天井部及びこの天井部の４隅部に取り付けられた支持脚を有するコタツ櫓を備えた家具調コタツであって、
前記支持脚それぞれの取り付け位置を変更できるように構成されている、ことを特徴とする家具調コタツ。
【請求項２】
前記支持脚は、幅が広いプレート状に形成されている、ことを特徴とする請求項１記載の家具調コタツ。
【請求項３】
前記支持脚はそれぞれ、前記天井部の隅部で、前記天井部の一辺縁に沿うような第１の取り付け位置、前記天井部の、前記一辺縁と直交する他辺縁に沿うような第２の取り付け位置及び前記天井部の隅角を２等分又はほぼ２等分する方向に沿うような第３の取り付け位置のうちの任意の１つの取り付け位置に取り付けることができ、かつ、取り付け位置を前記第１の取り付け位置、前記第２の取り付け位置及び前記第３の取り付け位置のうちの他の取り付け位置に変更できる、ことを特徴とする請求項２記載の家具調コタツ。
【請求項４】
前記支持脚は、前記第１の取り付け位置、前記第２の取り付け位置及び前記第３の取り付け位置のいずれの取り付け位置に取り付けられても、前記天井部から側方に突出しないように形成されている、ことを特徴とする請求項３記載の家具調コタツ。
【請求項５】
前記天井部の前記４隅部にはそれぞれ、複数個のボルト孔が形成され、前記支持脚の上端面にはねじ孔が設けられていて、前記支持脚の前記天井部への取り付けは、前記天井部の前記ボルト孔にボルトを通し、このボルトを前記支持脚のねじ孔にねじ込むことにより行われ、前記支持脚の取り付け位置の変更は、前記ボルトを通す前記ボルト孔を変更することにより行われる、ことを特徴とする請求項１記載の家具調コタツ。
【請求項６】
前記天井部の前記４隅部にはそれぞれ、複数組のボルト孔が形成され、前記支持脚の上端面には、それぞれの組のボルト孔に対応した一組のねじ孔が設けられていて、前記支持脚の前記天井部への取り付けは、前記天井部の一組の前記ボルト孔にボルトを通し、このボルトを前記支持脚の一組の前記ねじ孔にねじ込むことにより行われ、前記支持脚の取り付け位置の変更は、前記ボルトを通す前記ボルト孔の組を変更することにより行われる、ことを特徴とする請求項１記載の家具調コタツ。
【請求項７】
前記支持脚の上端面には、それぞれの組のボルト孔に対応した別の組のねじ孔が設けられ、前記支持脚の前記天井部への取り付けは、前記天井部の一組の前記ボルト孔にボルトを通し、このボルトを前記支持脚のいずれかの組の前記ねじ孔にねじ込むことにより行われ、前記支持脚の取り付け位置の変更は、前記ボルトを通す前記ボルト孔の組を変更することにより及び／又は前記ボルトをねじ込む前記ねじ孔の組を変更することにより行われる、ことを特徴とする請求項６記載の家具調コタツ。
【発明の詳細な説明】
【技術分野】
【０００１】
本発明は、冬季は暖房器具として使用でき、夏季などにはテーブルとして使用できる家具調コタツに関する。
【背景技術】
【０００２】
暖房用の器具であるコタツは、長方形状又は正方形状の天井部の４隅部を支持脚で支えたコタツ櫓にコタツ布団を掛け、このコタツ布団をはさんで天井部の上に天板を載せて構成し、コタツ布団の中に例えば下半身を入れて使用する。そして、コタツ櫓の天井部には、下面中央にヒーターが設けられていて、このヒーターによりコタツ布団の中が暖房される。そして、コタツ布団を取り除き、例えば天板を天井部の上に直接載せたときに、テーブルとしての十分な体裁が現れるように仕上げておくことにより、このようなコタツは家具調コタツとして構成されることとなる。
【０００３】
ところで、コタツの支持脚は、断面円形又は正方形の単純な形状に形成される場合が多いが、家具調コタツの場合には、支持脚を幅広のプレート状に形成するなどしてデザイン性を高めることもある。しかしながら、例えば支持脚を幅広のプレート状に形成した場合、支持脚の取り付け態様によっては支持脚の間隔が狭まり、コタツとしての使用時に使用感が悪化するおそれがある。
【０００４】
こういった点に関連して、例えば特許文献１には、コタツ櫓（やぐら１）の支持脚（脚３）を旋廻させて、支持脚の間隔を調整できるようにしたコタツ（電気こたつ）が記載されている。
【先行技術文献】
【特許文献】
【０００５】
【特許文献１】実開昭６１−３６２１１号公報
【発明の概要】
【発明が解決しようとする課題】
【０００６】
しかしながら、特許文献１のコタツでは、支持脚３の位置決めは、可動部１５の他端両面に突起１１を設けておき、この突起１１の対面部との接触による摩擦で可動部１５を旋回位置に保持して行われる。したがって突起１１は、支持脚３及び可動部１５の旋回に支障がないように形成しなければならず、コタツ櫓１の天井部の重量が突起１１と対面部との間に加わることを考慮しても、支持脚３の確実な位置決めは期待できず、特許文献１に記載されたコタツは使い勝手が良くない。また、支持脚の形状にかかわらず、天井部に対する支持脚の配置状態を変更できれば、テーブルとして使用するときのデザイン性の向上も期待できるので、この点からも使い勝手の良い支持脚配置変更構造が必要となる。
【０００７】
そこで本発明は、支持脚の配置状態を変更でき、しかも、使い勝手が良好な家具調コタツの提供を目的とする。
【課題を解決するための手段】
【０００８】
この目的を達成するための本発明の家具調コタツは、中央下面にヒーターが設けられた長方形状又は正方形状の天井部及びこの天井部の４隅部に取り付けられた支持脚を有するコタツ櫓を備えた家具調コタツであって、前記支持脚それぞれの取り付け位置を変更できるように構成されているものである。支持脚の配置状態の変更は、支持脚の天井部への取り付け位置を変更して行われる。支持脚は、例えば、それぞれの取り付け位置に、取り外すことができるように取り付けられ又は固定される。支持脚はまた、例えば、それぞれの取り付け位置に、位置決め状態で取り付けられ又は固定される。したがって、例えば、支持脚をそれぞれの配置状態で確実に天井部に対して位置決めすることが可能となる。それぞれの取り付け位置に支持脚を取り付けて固定したときに、支持脚が天井部から側方に突出しないように構成しておけば、コタツ櫓のデザイン性を高めることができる。支持脚は、例えば、複数の取り付け手段又は固定手段（例えばボルト）を用いて天井部に取り付けられ又は固定される。本発明では、例えば、断面正方形状、断面長方形状、断面円形状又は断面楕円形状の支持脚を、天井部の隅部の外側位置や内側位置あるいは一辺縁側や他辺縁側を選択して取り付けることができるように構成する。あるいは、断面正方形状、断面長方形状又は断面楕円形状の支持脚を、特定の取り付け位置から、断面形状の中心周りに（断面形状の中心を回転中心として）所定角度回転させた場合の回転角度位置を取り付け位置として選択し、天井部に取り付けることができるように構成する。
【０００９】
支持脚を幅の広いプレート状に形成すれば、支持脚のデザイン性を高めることができる。ここでは、例えば支持脚の取り付け角度を調整できるように構成する。具体的には、支持脚が、天井部の隅部で、天井部の一辺縁に沿うような第１の取り付け位置、天井部の、一辺縁と直交する他辺縁に沿うような第２の取り付け位置及び天井部の隅角を２等分又はほぼ２等分する方向に沿うような第３の取り付け位置のうちの任意の１つの取り付け位置に取り付け可能なように、かつ、取り付け位置を第１の取り付け位置、第２の取り付け位置及び第３の取り付け位置のうちの他の取り付け位置に変更することができるように構成する。このような構成は、支持脚の幅広面をどの方向に向かせるかの選択を可能とするので、デザイン性の点からも、支持脚の間隔を適正なものに調整する点からも効果的である。あるいは、天井部の隅角を切り取る方向に沿うような第４の取り付け位置にも支持脚を取り付けることができるように構成してもよい。
【００１０】
支持脚の天井部への取り付けは、ボルトを用いて行うことができる。例えば、天井部の４隅部にそれぞれ、複数個のボルト孔を形成しておくとともに、支持脚の上端面にねじ孔を設けておく。そして、天井部のボルト孔にボルトを通し、このボルトを支持脚のねじ孔にねじ込むことにより支持脚を天井部に取り付け又は固定する。支持脚の取り付け位置の変更は、ボルトを通すボルト孔を変更することにより行なうことができる。支持脚の上端面のねじ孔は、長さ方向（支持脚の幅方向）に間隔をあけて２つ設けることができ、天井部には、２つのねじ孔に対応した２つ一組のボルト孔を複数組設ける。ここで、一組のボルト孔が、天井部の一辺縁に沿うように、また、天井部の他辺縁に沿うように、さらに、天井部の隅角を２等分又はほぼ２等分する方向に沿うように形成されていれば、支持脚を、第１の取り付け位置、第２の取り付け位置及び第３の取り付け位置のうちの任意の１つの取り付け位置に、ボルトを用いて取り付け又は固定することができる。さらに、一組のボルト孔が、天井部の隅角を切り取る方向に沿うように形されていれば、支持脚を第４の位置に取り付け又は固定することができる。
【００１１】
より一般的には、天井部の４隅部にそれぞれ、複数組のボルト孔を形成しておくとともに（例えば２つ一組のボルト孔を複数組形成しておくとともに）、支持脚の上端面に、それぞれの組のボルト孔に対応した一組のねじ孔を設けておく。そして、天井部のいずれか一組のボルト孔にボルトを通し、このボルトを支持脚の一組のねじ孔にねじ込むことにより支持脚を天井部に取り付け又は固定する。支持脚の取り付け位置の変更は、ボルトを通すボルト孔の組を変更することにより行うことができる。ここで、支持脚の上端面に、それぞれの組のボルト孔に対応した別の組のねじ孔を設けておけば、支持脚の取り付け位置の変更は、ボルトをねじ込むねじ孔の組を変更することによっても行うことができ、ボルトをねじ込むねじ孔の組を変更することにより、例えば、支持脚を断面形状の中心を回転中心として４５°回転した状態とすることができる。
【発明の効果】
【００１２】
以上説明したように、本発明の家具調コタツでは、コタツとしての使い勝手を損なうことなく、支持脚の配置状態を変更することができる。
【図面の簡単な説明】
【００１３】
【図１】本発明に係る家具調コタツであって暖房器具として使用する場合の斜視図である。
【図２】本発明に係る家具調コタツであってテーブルとして使用する場合の斜視図である。
【図３】図２に示す家具調コタツの分解斜視図である。
【図４】支持脚の取り付け個所の拡大図である。
【図５】天板の分解斜視図である。
【図６】天井プレートの分解斜視図である。
【図７】支持脚を天井プレートの第２の位置に取り付ける場合を説明する図である。
【図８】支持脚を天井プレートの第３の位置に取り付ける場合を説明する図である。
【図９】支持脚の３つの取り付け態様を説明する図である。
【図１０】支持脚の取り付け位置の変更例を示す図である。
【図１１】本発明に係る別の家具調コタツであってテーブルとして使用する場合の斜視図である。
【図１２】図１１に示す家具調コタツの分解斜視図である。
【図１３】支持脚の取り付け個所の拡大図である。
【図１４】天井プレートの分解斜視図である。
【図１５】支持脚を天井プレートの他の取り付け位置に取り付ける場合を説明する図である。
【発明を実施するための形態】
【００１４】
以下、本発明を実施するための形態を図面を参照して説明する。
【００１５】
図１は本発明に係る家具調コタツであって暖房器具として使用する場合の斜視図、図２は本発明に係る家具調コタツであってテーブルとして使用する場合の斜視図、図３は図２に示す家具調コタツの分解斜視図、図４は支持脚の取り付け個所の拡大図である。
【００１６】
家具調コタツ１は、４隅部がそれぞれ支持脚３で支えられた長方形状の天井プレート（天井部）５上に、すなわち、コタツ櫓上に、天井プレート５と同一又はほぼ同一の長方形状の天板７を載せることにより構成されていて、天板７は、家具調コタツ１を暖房器具として使用する場合（図１の場合）には、コタツ布団９を介して天井プレート５上に載せられ、テーブルとして使用する場合（図２の場合）には、天井プレート５上に直接載せられる。
【００１７】
コタツ櫓の支持脚３は、断面が細長い長方形状であるプレート体として形成され（ただし、幅方向外端面は、曲率の小さな円弧状断面を有している）、この支持脚３の上端面１１の長さ方向両端部にはそれぞれ、雌ねじ孔であるボルト孔１３が設けられている。
【００１８】
天井プレート５の隅部にはそれぞれ、基礎ボルト孔１５、一辺縁側ボルト孔１７、他辺縁側ボルト孔１９及び中央ボルト孔２１が上下方向に貫通して形成されている。基礎ボルト孔１５は、天井プレート５の隅部の最も隅（天井プレート５の一辺縁２３と他辺縁２５との交点付近）に設けられ、一辺縁側ボルト孔１７は、天井プレート５の一辺縁２３に沿って、基礎ボルト孔１５と所定の間隔があくように設けられ、他辺縁側ボルト孔１９は、天井プレート５の他辺縁２５に沿って、基礎ボルト孔１５と所定の間隔があくように設けられ、中央ボルト孔２１は、隅角の二等分線（仮想線）Ｋに沿って、基礎ボルト孔１５と所定の間隔があくように設けられている。一辺縁側ボルト孔１７と基礎ボルト孔１５との間隔、他辺縁側ボルト孔１９と基礎ボルト孔１５との間隔及び中央ボルト孔２１と基礎ボルト孔１５との間隔はいずれも、支持脚３の上端面１１の２つのボルト孔１３の間隔に等しくなっている。
【００１９】
支持脚３はそれぞれ、基礎ボルト孔１５及び一辺縁側ボルト孔１７に通された固定ボルト２７を、支持脚３の上端面１１のボルト孔１３にねじ込むことにより、天井プレート５の隅部に取り付けられている。ここでは、支持脚３は、幅方向が天井プレート５の一辺縁２３に沿う第１の取り付け位置に取り付けられている。
【００２０】
図５は天板７の分解斜視図である。
【００２１】
天板７は、天板用角材２９を組み合わせて形成された長方形状の天板用枠部３１と、この天板用枠部３１内に配置されたハニカム紙３３と、天板用枠部３１の上下両面側に固定して設けられた表面プレート３５及び裏面プレート３７と、から構成されている。ハニカム紙３３は、天板用枠部３１の内側形状と同一又はほぼ同一に形成され、天板用角材３１と同一又はほぼ同一の厚みを有している。
【００２２】
図６は天井プレート５の分解斜視図である。
【００２３】
コタツ櫓の天井プレート５は、天井プレート用角材３９を組み合わせて形成された長方形状の天井プレート用枠部４１と、この天井プレート用枠部４１の上下両面側に固定して設けられた上面プレート部４３及び下面プレート部４５と、から構成され、天井プレート用枠部４１内の長辺方向中間位置には、短辺方向に延びる２本の補強角材４７が配置されていて、天井プレート用角材３９と補強角材４７とは同一又はほぼ同一の厚みを有している。また、天井プレート用枠部４１の４隅部内側には、天井プレート用角材３９と同一又はほぼ同一の厚みを有する正方形状の補強駒４９が固定されている。
【００２４】
天井プレート５に設けられた基礎ボルト孔１５、一辺縁側ボルト孔１７及び他辺縁側ボルト孔１９はそれぞれ、上面プレート部４３、天井プレート用角材３９及び下面プレート部４５を貫通して設けられ、天井プレート５に設けられた中央ボルト孔２１は、上面プレート部４３、補強駒４９及び下面プレート部４５を貫通して設けられている。なお、それぞれのボルト孔１５、１７、１９及び２１の上面プレート部４３部分は、固定ボルト２７の頭部を収容するように大径に形成されている。
【００２５】
天井プレート５の中央下面にはヒーター５１が取り付けられているが、ヒーター５１の取り付けは、ヒーター５１に設けられたＬ型金具５３と取り付けネジ５５を用いて行われる。すなわち、Ｌ型金具５３の取り付け孔５７に取り付けネジ５５を通し、取り付けネジ５５を下面プレート部４５及び補強角材４７にねじ込んでヒーター５１を下面プレート部４５の中央下面に固定する。
【００２６】
図７は支持脚３を天井プレート５の第２の取り付け位置に取り付ける場合を説明する図、図８は支持脚３を天井プレート５の第３の取り付け位置に取り付ける場合を説明する図、図９は支持脚３の３つの取り付け態様を説明する図である。
【００２７】
基礎ボルト孔１５及び他辺縁側ボルト孔１９に通された固定ボルト２７を、支持脚３の上端面１１のボルト孔１３にねじ込むことにより、支持脚３は、幅方向が天井プレート５の他辺縁２５に沿う第２の取り付け位置に取り付けられ（図７参照）、基礎ボルト孔１５及び中央ボルト孔２１に通された固定ボルト２７を、支持脚３の上端面１１のボルト孔１３にねじ込むことにより、支持脚３は、幅方向が隅角の２等分線に沿う第３の取り付け位置に取り付けられる（図８参照）。すなわち、支持脚３（図４参照）は、基礎ボルト孔１５位置を中心として回転させた場合の、天井プレート５からはみ出ない３つの位置のいずれかで、天板プレート５に固定されることとなる（図９参照）。
【００２８】
なお、天板プレート５の隅部にそれぞれ、隅角を切り取る方向に沿って並ぶように一対の補助ボルト孔５９、５９を設け、この補助ボルト孔５９、５９に固定ボルト２７を通すことにより、支持脚３を、隅角の切り取り方向に沿う第４の取り付け位置に取り付けることができるようにしてもよい（図１０参照）。ただし、この場合には、支持脚３の幅方向両端面を断面円弧状に形成する。また、すべての支持脚３を同じ取り付け位置で天板プレート５に取り付ける必要はない。すなわち、ある支持脚３を第１の取り付け位置に取り付け、別の支持脚３を第２の取り付け位置に取り付けるといったことも可能である。
【００２９】
図１１は本発明に係る別の家具調コタツであってテーブルとして使用する場合の斜視図、図１２は図１１に示す家具調コタツの分解斜視図、図１３は支持脚の取り付け個所の拡大図である。
【００３０】
別の家具調コタツ１０１は、家具調コタツ１の支持脚３の構成及び天井プレート５の隅部のボルト孔１５、１７、１９、２１の構成を変更したものであり、その他の構成や機能は家具調コタツ１と同一なので、同一部分には同一の参照符号を付して説明を省略する。
【００３１】
家具調コタツ１０１は、４隅部がそれぞれ支持脚１０３で支えられた長方形状の天井プレート（天井部）１０５上に、すなわち、コタツ櫓上に、天井プレート１０５と同一又はほぼ同一の長方形状の天板７を載せることにより構成されている。
【００３２】
コタツ櫓の支持脚１０３は、断面正方形の角柱状に形成され、この支持脚１０３の上端面１０７にはそれぞれ、雌ねじ孔である４つのボルト孔１０９、１１１、１１３、１１５が設けられていて、２つのボルト孔１０９、１１１は、支持脚１０３の上端面１０７の対角位置に設けられて一組のボルト孔を構成し、別の２つのボルト孔１１３、１１５は、支持脚１０３の上端面１０７を２つの長方形に二等分する二等分線（仮想線）Ｌ上端面１０７の両端側に設けられて別の一組のボルト孔を構成している。一組のボルト孔（１０９、１１１）の間隔は別の一組のボルト孔（１１３、１１５）の間隔と等しくなるように設定されている。
【００３３】
天井プレート１０５の隅部にはそれぞれ、正方形区画（仮想線）Ｍの中心に中央ボルト孔１１７が、正方形区画Ｍの４つの角のそれぞれに選択ボルト孔１１９、１２１、１２３、１２５が上下方向に貫通して形成されていて、中央ボルト孔１１７と選択ボルト孔１１９、中央ボルト孔１１７と選択ボルト孔１２１、中央ボルト孔１１７と選択ボルト孔１２３、中央ボルト孔１１７と選択ボルト孔１２５はそれぞれ、第１の組のボルト孔、第２の組のボルト孔、第３の組のボルト孔、第４の組のボルト孔を構成している。第１の組のボルト孔（１１７、１１９）、第２の組のボルト孔（１１７、１２１）、第３の組のボルト孔（１１７、１２３）及び第４の組のボルト孔（１１７、１２５）の間隔は、一組のボルト孔（１０９、１１１）の間隔（別の一組のボルト孔（１１３、１１５）の間隔と等しい）と等しくなるように設定されている。
【００３４】
支持脚１０３はそれぞれ、第１の組のボルト孔（１１７、１１９）に通された固定ボルト２７を、支持脚１０３の上端面１０７の一組のボルト孔（１０９、１１１）にねじ込むことにより、天井プレート１０５の隅部に取り付けられている。ここでは、支持脚１０３は、上端面１０７の隅部が天井プレート１０５の隅部に対応する状態（上端面１０７の一辺縁が天井プレート１０５の一辺縁２３と平行に位置し、上端面１０７の他辺縁が天井プレート１０５の他辺縁２５と平行に位置している状態）で最も外側に位置している（第１の取り付け位置）。
【００３５】
図１４は天井プレート１０５の分解斜視図である。
【００３６】
コタツ櫓の天井プレート１０５は、補強駒１２７が補強駒４９よりも大きな正方形状に形成されていること、および、中央ボルト孔１１７、選択ボルト孔１１９、１２１、１２３、１２５がすべて、この補強駒１２７を貫通する位置に形成されていることを除き、天井プレート５と同一の構成を有している。なお、それぞれのボルト孔１１７、１１９、１２１，１２３及び１２５の上面プレート部４３部分は、固定ボルト２７の頭部を収容するように大径に形成されている。
【００３７】
図１５は支持脚１０３を天井プレート１０５の他の取り付け位置に取り付ける場合を説明する図である。
【００３８】
支持脚１０３を、天井プレート１０５の第１の組のボルト孔（１１７、１１９）に固定ボルト２７を通し、この固定ボルト２７を支持脚１０３の別の一組のボルト孔（１１３、１１５、図１３参照）にねじ込むことにより取り付ければ、支持脚１０３を、第１の取り付け位置から、上端面１０７の中心を回転中心として４５°回転させた第２の取り付け位置に固定することができる（図１５ａ）。支持脚１０３を、天井プレート１０５の第２の組のボルト孔（１１７、１２１）に固定ボルト２７を通し、この固定ボルト２７を支持脚１０３の一組のボルト孔（１０９，１１１、図１３参照）にねじ込むことにより取り付ければ、支持脚１０３を、第１の取り付け位置から一辺縁２３に沿って内側にずらした（より正確には一辺縁２３に沿って内側にずらし、９０°回転させた）第３の取り付け位置に固定することができる（図１５ｂ）。支持脚１０３を、天井プレート１０５の第２の組のボルト孔（１１７、１２１）に固定ボルト２７を通し、この固定ボルト２７を支持脚１０３の別の一組のボルト孔（１１３、１１５）にねじ込むことにより取り付ければ、支持脚１０３を、第３の取り付け位置から、上端面１０７の中心を回転中心として４５°回転させた第４の取り付け位置に固定することができる（図１５ｃ）。支持脚１０３を、天井プレート１０５の第３の組のボルト孔（１１７、１２３）に固定ボルト２７を通し、この固定ボルト２７を支持脚１０３の一組のボルト孔（１０９、１１１）にねじ込むことにより取り付ければ、支持脚１０３を、第１の取り付け位置から、天井プレート１０５の隅角の二等分線Ｋ（図４参照）に沿って内側にずらした第５の取り付け位置に固定することができる（図１５ｄ）。支持脚１０３を、天井プレート１０５の第３の組のボルト孔（１１７、１２３）に固定ボルト２７を通し、この固定ボルト２７を支持脚１０３の別の一組のボルト孔（１１３、１１５）にねじ込むことにより取り付ければ、支持脚１０３を、第５の取り付け位置から、上端面１０７の中心を回転中心として４５°回転させた第６の取り付け位置に固定することができる（図１５ｅ）。支持脚１０３を、天井プレート１０５の第４の組のボルト孔（１１７、１２５）に固定ボルト２７を通し、この固定ボルト２７を支持脚１０３の一組のボルト孔１１７（１０９、１１１）にねじ込むことにより取り付ければ、支持脚１０３を、第１の取り付け位置から他辺縁２５に沿って内側にずらした（より正確には他辺縁２５に沿って内側にずらし、９０°回転させた）第７の取り付け位置に固定することができる（図１５ｆ）。支持脚１０３を、天井プレート１０５の第４の組のボルト孔（１１７、１２５）に固定ボルト２７を通し、この固定ボルト２７を支持脚１０３の別の一組のボルト孔（１１３、１１５）にねじ込むことにより取り付ければ、支持脚１０３を、第７の取り付け位置から、上端面１０７の中心を回転中心として４５°回転させた第８の取り付け位置に固定することができる（図１５ｇ）。
【００３９】
なお、すべての支持脚１０３を同じ取り付け位置で天板プレート１０５に取り付ける必要はない。すなわち、ある支持脚１０３を第１の取り付け位置に取り付け、別の支持脚１０３を第２の取り付け位置に取り付けるといったことも可能である。
【産業上の利用可能性】
【００４０】
本発明の家具調コタツは、暖房器具として使用してもテーブルとして使用しても優れた特徴を有するものである。
【符号の説明】
【００４１】
１、１０１                                家具調コタツ
３、１０３                                支持脚
５、１０５                                天井プレート（天井部）
【図１】
2012242055.tif 000003
【図２】
2012242055.tif 000004
【図３】
2012242055.tif 000005
【図４】
2012242055.tif 000006
【図５】
2012242055.tif 000007
【図６】
2012242055.tif 000008
【図７】
2012242055.tif 000009
【図８】
2012242055.tif 000010
【図９】
2012242055.tif 000011
【図１０】
2012242055.tif 000012
【図１１】
2012242055.tif 000013
【図１２】
2012242055.tif 000014
【図１３】
2012242055.tif 000015
【図１４】
2012242055.tif 000016
【図１５】
2012242055.tif 000017